(57)【要約】【課題】光通信システム全体において光出力を停止し、より有効性の高い省電力化を可能とする光通信装置等を提供する。【解決手段】本発明に係るセンタ装置１１は、ネットワークインターフェース２１と、ユーザデータおよび管理フレームをリモート装置１２との間で送受信する光送受信部２２と、データ送受信が予め決められた所定の時間行われていないことを検出する無通信監視部１５４と、データ送受信が行われていないことを検出した場合に省電力要求フレームを生成してこれをフレーム生成部１５３と、対向装置から省電力許可応答フレームを受信するフレーム受信部１５１と、省電力許可応答フレームを受信したことを確認してからセンタ装置を省電力モードでの動作に移行させる電力制御部１５２とを有し、光送受信部は、省電力モード中は光回線を通じて送信する光出力を停止する。【選択図】図１
2011114651.tif 000002
【特許請求の範囲】
【請求項１】
一方のＬＡＮ（Local Area Network）と他方のＬＡＮとの間で光回線を経由してデータを中継するデータ中継用光通信システムであって、
前記一方のＬＡＮからユーザデータを受信するセンタ装置と、前記光回線を経由して受信した前記ユーザデータを前記他方のＬＡＮに送信するリモート装置とを備え、
前記センタ装置が、
前記一方のＬＡＮとの間で前記ユーザデータを送受信するネットワークインターフェースと、
前記ユーザデータを光信号に変換して前記リモート装置に送信する光送受信部と、
前記一方のＬＡＮとの間で前記ユーザデータの送受信が予め決められた所定の時間行われていない場合にこの無通信状態を検出する無通信監視部と、
前記無通信状態が検出された場合に前記リモート装置を通常モードより消費電力の少ない省電力モードでの動作に移行させる省電力要求フレームを生成しこれを問い合わせ信号として前記光送受信部を介して前記リモート装置宛に送信するフレーム生成部と、
前記光送受信部が前記リモート装置からの前記省電力要求フレームに対する応答である省電力許可応答フレームを受信した場合にこれを確認するフレーム受信部と、
前記フレーム受信部が前記省電力許可応答フレームの受信を確認した後に前記センタ装置を前記省電力モードでの動作に移行させる電力制御部とを有し、
前記光送受信部は、前記電力制御部に制御されて、前記省電力モード中は前記光回線への光出力の送信を停止することを特徴とするデータ中継用光通信システム。
【請求項２】
前記リモート装置が、
前記ユーザデータを前記センタ装置から受信してこれを電気信号に変換する光送受信部と、
前記他方のＬＡＮとの間で前記ユーザデータを送受信するネットワークインターフェースと、
前記光送受信部が前記センタ装置から前記省電力要求フレームを受信した場合にこれを確認するフレーム受信部と、
前記フレーム受信部が前記省電力要求フレームを確認したことに反応して前記省電力許可応答フレームを生成してこれを応答として前記光送受信部を介して前記センタ装置宛に送信するフレーム生成部と、
前記光送受信部が前記省電力許可応答フレームを送信した後に前記リモート装置を前記省電力モードでの動作に移行させる電力制御部とを有し、
前記光送受信部は、前記電力制御部に制御されて、前記省電力モード中は前記光回線への光出力の送信を停止することを特徴とする、請求項１に記載のデータ中継用光通信システム。
【請求項３】
前記センタ装置の前記フレーム生成部は、前記センタ装置が前記省電力モードで動作している間に前記ネットワークインターフェースが前記一方のＬＡＮから前記ユーザデータを受信した場合に前記リモート装置を前記通常モードでの動作へ復帰させる復帰要求フレームを生成してこれを前記光送受信部に前記リモート装置宛に送信させる機能を有し、
前記センタ装置の前記電力制御部は、前記センタ装置を前記通常モードでの動作に復帰させた後に前記光送受信部に前記復帰要求フレームを前記光回線を通じて前記リモート装置宛に送信させる機能を有し、
前記センタ装置の前記フレーム受信部は、前記復帰要求フレームに反応する復帰完了通知フレームを受信したことを確認してから前記光送受信部に前記ユーザデータを前記光回線を介して前記リモート装置宛に送信させる機能を有することを特徴とする、請求項２に記載のデータ中継用光通信システム。
【請求項４】
前記リモート装置の前記電力制御部は、前記フレーム受信部が前記復帰要求フレームを受信したことに反応して前記リモート装置を前記通常モードでの動作に復帰させる機能を有し、
前記リモート装置の前記フレーム生成部は、前記リモート装置が前記通常モードでの動作に復帰した後に前記復帰完了通知フレームを生成してこれを前記光送受信部に前記センタ装置宛に送信させる機能を有することを特徴とする、請求項３に記載のデータ中継用光通信システム。
【請求項５】
前記リモート装置が、前記省電力モードでの動作への移行の可否を示す装置設定を記憶する記憶部を有し、
前記リモート装置の前記フレーム生成部は、前記装置設定に前記省電力モードでの動作が不可能である内容が記憶されている場合に、前記フレーム受信部が前記省電力要求フレームを受信したことに反応して前記省電力モードでの動作への移行を拒否する旨を示す省電力拒否応答フレームを生成してこれを前記光送受信部に前記センタ装置宛に送信させる機能を有することを特徴とする、請求項２に記載のデータ中継用光通信システム。
【請求項６】
前記センタ装置が、ユーザからの命令入力を受け付けるユーザインターフェースを備え、
前記センタ装置の前記フレーム生成部は、前記ユーザインターフェースに強制省電力移行命令が入力されたことに反応して前記リモート装置を前記省電力モードでの動作に強制的に移行させる強制省電力要求フレームを生成してこれを前記光送受信部に前記リモート装置宛に送信させる機能を有し、
前記センタ装置の前記電力制御部は、前記光送受信部が前記強制省電力要求フレームを送信した後で前記センタ装置を前記省電力モードでの動作に強制的に移行させる機能を有することを特徴とする、請求項２に記載のデータ中継用光通信システム。
【請求項７】
前記センタ装置の前記フレーム生成部は、前記センタ装置が前記省電力モードで動作している間に前記ユーザインターフェースに強制復帰命令が入力されたことに反応して前記リモート装置を前記通常モードでの動作に強制的に復帰させる強制復帰要求フレームを生成してこれを前記光送受信部に前記リモート装置宛に送信させる機能を有し、
前記センタ装置の電力制御部は、前記光送受信部が前記強制復帰要求フレームを送信した後で前記センタ装置を前記通常モードでの動作に強制的に復帰させる機能を有することを特徴とする、請求項６に記載のデータ中継用光通信システム。
【請求項８】
一方のＬＡＮ（Local Area Network）からユーザデータを受信するセンタ装置と、光回線を経由して受信した前記ユーザデータを他方のＬＡＮに送信するリモート装置とを備えるデータ中継用光通信システムにあって、
前記一方のＬＡＮとの前記ユーザデータの送受信が予め決められた所定の時間行われていない場合にこの無通信状態を前記センタ装置の無通信監視部で検出し、
前記無通信状態が検出された場合に前記リモート装置を通常モードより消費電力の少ない省電力モードでの動作に移行させる省電力要求フレームを前記センタ装置のフレーム生成部で生成し、
この省電力要求フレームを問い合わせ信号として前記センタ装置の光送受信部で送信し、
前記リモート装置から前記省電力要求フレームに応答する省電力許可応答フレームを受信したことを前記センタ装置のフレーム受信部で確認し、
前記省電力許可応答フレームを確認した後に前記センタ装置を前記省電力モードでの動作に前記センタ装置の電力制御部で移行させ、
前記光回線への光出力の送信を前記センタ装置の前記光送受信部で停止することを特徴とするデータ中継用光通信システムの省電力制御方法。
【請求項９】
前記省電力要求フレームを受信したことに反応して前記省電力許可応答フレームを前記リモート装置のフレーム生成部で生成し、
この省電力許可応答フレームを前記リモート装置の光送受信部で送信し、
前記省電力許可応答フレームを送信した後に前記リモート装置を前記省電力モードでの動作に前記リモート装置の電力制御部で移行させ、
前記光回線への光出力の送信を前記リモート装置の前記光送受信部で停止することを特徴とする、請求項８に記載のデータ中継用光通信システムの省電力制御方法。
【請求項１０】
一方のＬＡＮ（Local Area Network）からユーザデータを受信するセンタ装置と、光回線を経由して受信した前記ユーザデータを他方のＬＡＮに送信するリモート装置とを備えるデータ中継用光通信システムにあって、
前記センタ装置が備えているコンピュータに、
前記一方のＬＡＮとの前記ユーザデータの送受信が予め決められた所定の時間行われていない場合にこの無通信状態を検出する手順、
前記無通信状態を検出した場合に前記リモート装置を通常モードより消費電力の少ない省電力モードでの動作に移行させる省電力要求フレームを生成する手順、
この省電力要求フレームを送信させる手順、
前記リモート装置から前記省電力要求フレームに応答する省電力許可応答フレームの受信を確認する手順、
前記省電力許可応答フレームを確認した後に前記センタ装置を前記省電力モードでの動作に移行させる手順、
および前記光回線への光出力の送信を停止させる手順を実行させることを特徴とするデータ中継用光通信システムの省電力制御プログラム。
【請求項１１】
一方のＬＡＮ（Local Area Network）からユーザデータを受信するセンタ装置と、光回線を経由して受信した前記ユーザデータを他方のＬＡＮに送信するリモート装置とを備えるデータ中継用光通信システムにあって、
前記リモート装置が備えているコンピュータに、
前記センタ装置からの省電力要求フレームを受信したことに反応して省電力許可応答フレームを生成する手順、
この省電力許可応答フレームを送信させる手順、
前記省電力許可応答フレームを送信させた後で、前記リモート装置を前記省電力モードでの動作に移行させる手順、
および前記光回線への光出力の送信を停止させる手順を実行させることを特徴とするデータ中継用光通信システムの省電力制御プログラム。
【発明の詳細な説明】
【技術分野】
【０００１】
本発明はデータ中継用光通信システムに関し、特に該システムの省電力化に関する。
【背景技術】
【０００２】
一方と他方のコンピュータネットワーク相互間でデータを中継するデータ中継には、中継されるデータの容量が加速度的に増大していることに伴って、光通信システムが適用されることが多くなっている。そのようなデータ中継用光通信システムが広く普及していることに伴い、そのようなシステムに対しても、省電力化が要求されるようになっている。
【０００３】
光通信システムの省電力化については、次のような技術文献がある。特許文献１には、伝送距離を測定して駆動条件を最適化する光トランシーバーについて記載されている。特許文献２には、誤り率が所定の数値以下となるよう光パワーを制御して消費電力を抑制するという光ネットワークについて記載されている。
【０００４】
特許文献３には、バッテリ駆動時にデータ送信量を抑制して消費電力を抑制する制御を行うというＯＮＵ（Optical Network Unit、加入者宅内装置）について記載されている。特許文献４には、管理装置から通信ネットワーク全体にビーコンを送信し、これによって通信ネットワーク全体で節電モードへの遷移および復帰が可能であるという通信ネットワークが記載されている。
【先行技術文献】
【特許文献】
【０００５】
【特許文献１】特開２００８−２５２７５０号公報
【特許文献２】特開２００９−１５９１８９号公報
【特許文献３】特開２００９−１７１４２４号公報
【特許文献４】特表２００８−５４３２２５号公報
【発明の概要】
【発明が解決しようとする課題】
【０００６】
しかしながら、そのようなデータ中継用光通信システムで光信号の送信出力を停止させると、光回線を介してこの光信号を受信する対向装置との間で光リンクが確立しなくなり、当該光回線の断線などのような障害が発生したものと認識される。従って、光通信システムを介して送受信するデータの無い無通信状態であっても光出力を停止することはできないので、光通信システムの省電力化は個々の光通信装置で行う必要がある。そのため、これらの光通信システムの省電力化には限度がある。特に、光通信システム全体を含めた省電力化は困難である。
【０００７】
特許文献１および２に記載の発明では、光リンクを維持しつつ遅延時間や誤り率などの諸条件を満たすように光出力を調整しているが、光出力を停止するものではない。特許文献３に記載の発明は通信装置単体の省電力化に過ぎず、また送信データのＲＥＰＯＲＴフレームの送信回数を減らしているだけであり、これも光出力を停止するものではない。
【０００８】
特許文献４に記載の発明は、ネットワークの管理装置から送信されるビーコンによって他の装置が所定の時間節電モードになるというものであり、管理装置以外の機器が通信ネットワーク全体を節電モードに遷移させることは不可能である。また所定の時間の経過以外の契機で各装置を節電モードから復帰させることも不可能である。従って、特許文献４に記載の技術を光通信システムに適用し、またこれと特許文献１〜３に記載の技術とを組み合わせたとしても、光通信システム全体を含めた省電力化という点では不十分である。
【０００９】
本発明の目的は、無通信状態にはシステム全体において光出力を停止し、このことによってより有効性の高い省電力化を可能とするデータ中継用光通信システム、およびその省電力制御方法と省電力制御プログラムを提供することにある。
【課題を解決するための手段】
【００１０】
上記目的を達成するため、本発明に係るデータ中継用光通信システムは、一方のＬＡＮ（Local Area Network）と他方のＬＡＮとの間で光回線を経由してデータを中継するデータ中継用光通信システムであって、一方のＬＡＮからユーザデータを受信するセンタ装置と、光回線を経由して受信したユーザデータを他方のＬＡＮに送信するリモート装置とを備え、センタ装置が、一方のＬＡＮとの間でユーザデータを送受信するネットワークインターフェースと、ユーザデータを光信号に変換してリモート装置に送信する光送受信部と、一方のＬＡＮとの間でユーザデータの送受信が予め決められた所定の時間行われていない場合にこの無通信状態を検出する無通信監視部と、無通信状態が検出された場合にリモート装置を通常モードより消費電力の少ない省電力モードでの動作に移行させる省電力要求フレームを生成しこれを問い合わせ信号として光送受信部を介してリモート装置宛に送信するフレーム生成部と、光送受信部がリモート装置からの省電力要求フレームに対する応答である省電力許可応答フレームを受信した場合にこれを確認するフレーム受信部と、フレーム受信部が省電力許可応答フレームの受信を確認した後にセンタ装置を省電力モードでの動作に移行させる電力制御部とを有し、光送受信部は、電力制御部に制御されて、省電力モード中は光回線への光出力の送信を停止することを特徴とする。
【００１１】
上記目的を達成するため、本発明に係るデータ中継用光通信システムの省電力制御方法は、一方のＬＡＮ（Local Area Network）からユーザデータを受信するセンタ装置と、光回線を経由して受信したユーザデータを他方のＬＡＮに送信するリモート装置とを備えるデータ中継用光通信システムにあって、一方のＬＡＮとのユーザデータの送受信が予め決められた所定の時間行われていない場合にこの無通信状態をセンタ装置の無通信監視部で検出し、無通信状態が検出された場合にリモート装置を通常モードより消費電力の少ない省電力モードでの動作に移行させる省電力要求フレームをセンタ装置のフレーム生成部で生成し、この省電力要求フレームを問い合わせ信号としてセンタ装置の光送受信部で送信し、リモート装置から省電力要求フレームに応答する省電力許可応答フレームを受信したことをセンタ装置のフレーム受信部で確認し、省電力許可応答フレームを確認した後にセンタ装置を省電力モードでの動作にセンタ装置の電力制御部で移行させ、光回線への光出力の送信をセンタ装置の光送受信部で停止することを特徴とする。
【００１２】
上記目的を達成するため、本発明に係るデータ中継用光通信システムの省電力制御プログラムは、一方のＬＡＮ（Local Area Network）からユーザデータを受信するセンタ装置と、光回線を経由して受信したユーザデータを他方のＬＡＮに送信するリモート装置とを備えるデータ中継用光通信システムにあって、センタ装置が備えているコンピュータに、一方のＬＡＮとのユーザデータの送受信が予め決められた所定の時間行われていない場合にこの無通信状態を検出する手順、無通信状態を検出した場合にリモート装置を通常モードより消費電力の少ない省電力モードでの動作に移行させる省電力要求フレームを生成する手順、この省電力要求フレームを送信させる手順、リモート装置から省電力要求フレームに応答する省電力許可応答フレームの受信を確認する手順、省電力許可応答フレームを確認した後にセンタ装置を省電力モードでの動作に移行させる手順、および光回線への光出力の送信を停止させる手順を実行させることを特徴とする。
【００１３】
上記目的を達成するため、本発明に係るデータ中継用光通信システムの他の省電力制御プログラムは、一方のＬＡＮ（Local Area Network）からユーザデータを受信するセンタ装置と、光回線を経由して受信したユーザデータを他方のＬＡＮに送信するリモート装置とを備えるデータ中継用光通信システムにあって、リモート装置が備えているコンピュータに、センタ装置からの省電力要求フレームを受信したことに反応して省電力許可応答フレームを生成する手順、この省電力許可応答フレームを送信させる手順、省電力許可応答フレームを送信させた後で、リモート装置を省電力モードでの動作に移行させる手順、および光回線への光出力の送信を停止させる手順を実行させることを特徴とする。
【発明の効果】
【００１４】
上述したように本発明は、無通信状態を検出したら対向装置に省電力要求フレームを送信し、これに対する対向装置からの省電力許可応答フレームを受信してから光出力を停止するように構成したので、無通信状態にある場合には自装置と対向装置の両方で光出力を停止することができる。これによって、システム全体としてより有効性の高い省電力化が可能であるという、優れた特徴を持つデータ中継用光通信システム、およびその省電力制御方法と省電力制御プログラムを提供することができる。
【図面の簡単な説明】
【００１５】
【図１】本発明の第１の実施形態に係るデータ中継システムの構成を示す説明図である。
【図２】図１で示したセンタ装置のより詳しい構成を示す説明図である。
【図３】図１で示したリモート装置のより詳しい構成を示す説明図である。
【図４】図２〜３に示したセンタ装置およびリモート装置が、対向装置に対して送信するＯＡＭフレームの種類を示す表である。
【図５】図２〜３に示したセンタ装置およびリモート装置が、通常モードから省電力モードへ移行する動作を表すフローチャートである。
【図６】図５の動作を通じて双方とも省電力モードに移行したセンタ装置およびリモート装置が、通常モードに復帰する動作を表すフローチャートである。
【図７】本発明の第２の実施形態に係るデータ中継システムの構成を示す説明図である。
【図８】図７で示したセンタ装置のより詳しい構成を示す説明図である。
【図９】図７で示したリモート装置のより詳しい構成を示す説明図である。
【図１０】図８〜９に示したセンタ装置およびリモート装置が、対向装置に対して送信するＯＡＭフレームの種類を示す表である。
【図１１】図８〜９に示したセンタ装置およびリモート装置が、ネットワーク管理者の操作によって通常モードから省電力モードへ移行する動作を表すフローチャートである。
【図１２】図１１の動作を通じて双方とも省電力モードに移行したセンタ装置およびリモート装置が、ネットワーク管理者の操作によって通常モードに復帰する動作を表すフローチャートである。
【発明を実施するための形態】
【００１６】
（第１の実施形態）
以下、本発明の第１の実施形態の構成について添付図１〜３に基づいて説明する。
最初に、本実施形態の基本的な内容について説明し、その後でより具体的な内容について説明する。
本実施形態に係るデータ中継用光通信システム（データ中継システム１）は、一方のＬＡＮ（Local Area Network）１３と他方のＬＡＮ１４との間で光回線１０を経由してデータを中継するデータ中継用光通信システムであり、一方のＬＡＮからユーザデータを受信するセンタ装置１１と、光回線を経由して受信したユーザデータを他方のＬＡＮに送信するリモート装置１２とを備える。このセンタ装置１１は、一方のＬＡＮとの間でユーザデータを送受信するネットワークインターフェース（ＬＡＮインターフェース２１）と、ユーザデータを光信号に変換してリモート装置に送信する光送受信部２２と、一方のＬＡＮとの間でユーザデータの送受信が予め決められた所定の時間行われていない場合にこの無通信状態を検出する無通信監視部１５４と、無通信状態が検出された場合にリモート装置を通常モードより消費電力の少ない省電力モードでの動作に移行させる省電力要求（ＯＡＭ）フレームを生成しこれを問い合わせ信号として光送受信部を介してリモート装置宛に送信するフレーム生成部（ＯＡＭフレーム生成部１５３）と、光送受信部がリモート装置からの省電力要求フレームに対する応答である省電力許可応答（ＯＡＭ）フレームを受信した場合にこれを確認するフレーム受信部（ＯＡＭフレーム受信部１５１）と、フレーム受信部が省電力許可応答フレームの受信を確認した後にセンタ装置を省電力モードでの動作に移行させる電力制御部１５２とを有し、かつ光送受信部２２は、電力制御部に制御されて、省電力モード中は光回線への光出力の送信を停止する。
【００１７】
またリモート装置１２は、ユーザデータをセンタ装置から受信してこれを電気信号に変換する光送受信部３２と、他方のＬＡＮとの間でユーザデータを送受信するネットワークインターフェース（ＬＡＮインターフェース３１）と、光送受信部がセンタ装置から省電力要求フレームを受信した場合にこれを確認するフレーム受信部（ＯＡＭフレーム受信部１５１）と、フレーム受信部が省電力要求（ＯＡＭ）フレームを確認したことに反応して省電力許可応答（ＯＡＭ）フレームを生成してこれを応答として光送受信部を介してセンタ装置宛に送信するフレーム生成部（ＯＡＭフレーム生成部１５３）と、光送受信部が省電力許可応答（ＯＡＭ）フレームを送信した後にリモート装置を省電力モードでの動作に移行させる電力制御部１５２とを有し、かつ光送受信部３２は、電力制御部に制御されて、省電力モード中は光回線への光出力の送信を停止する。
【００１８】
さらにセンタ装置のフレーム生成部（ＯＡＭフレーム生成部１５３）は、センタ装置が省電力モードで動作している間にネットワークインターフェースが一方のＬＡＮからユーザデータを受信した場合にリモート装置を通常モードでの動作へ復帰させる復帰要求（ＯＡＭ）フレームを生成してこれを光送受信部にリモート装置宛に送信させる機能を有し、センタ装置の電力制御部１５２は、センタ装置を通常モードでの動作に復帰させた後に光送受信部に復帰要求（ＯＡＭ）フレームを光回線を通じてリモート装置宛に送信させる機能を有し、そしてフレーム受信部（ＯＡＭフレーム受信部１５１）は、復帰要求（ＯＡＭ）フレームに反応する復帰完了通知（ＯＡＭ）フレームを受信したことを確認してから光送受信部にユーザデータを光回線を介してリモート装置宛に送信させる。
【００１９】
そしてリモート装置の電力制御部１５２は、フレーム受信部（ＯＡＭフレーム受信部１５１）が復帰要求（ＯＡＭ）フレームを受信したことに反応して自装置を通常モードでの動作に復帰させる機能を有し、フレーム生成部（ＯＡＭフレーム生成部１５３）は、自装置が通常モードでの動作に復帰した後で復帰完了通知（ＯＡＭ）フレームを生成してこれを光送受信部に送信させる。
【００２０】
またこの装置は、省電力モードでの動作への移行の可否を示す装置設定を記憶する記憶手段１２２を有し、フレーム生成部（ＯＡＭフレーム生成部１５３）は、装置設定に省電力モードでの動作が不可能である内容が記憶されている場合に、フレーム受信部が省電力要求（ＯＡＭ）フレームを受信したことに反応して省電力モードでの動作への移行を拒否する旨を示す省電力拒否応答（ＯＡＭ）フレームを生成してこれを光送受信部に送信させる。
【００２１】
以上の構成を備えることにより、このデータ中継用光通信システムは、光通信システム全体において光出力を停止することが可能となる。
以下、これをより詳細に説明する。
【００２２】
図１は、本発明の第１の実施形態に係るデータ中継システム１の構成を示す説明図である。データ中継システム１は、一方のＬＡＮ（Local Area Network）１３に接続されたセンタ装置１１と、他方のＬＡＮ１４に接続されたリモート装置１２との間が光回線１０で結ばれることによって、センタ装置１１とリモート装置１２とが光信号を交換し、これによって一方のＬＡＮ１３と他方のＬＡＮ１４との間で相互にデータの交換を行うことが可能となっているという構成である。
【００２３】
センタ装置１１は、一方のＬＡＮ１３に接続してデータの送受信を行うＬＡＮインターフェース２１と、光回線１０に対して光信号を送受信する光送受信部２２と、これらＬＡＮインターフェース２１および光送受信部２２の動作を制御するマイクロコンピュータ２３とで構成される。リモート装置１２も同様に、他方のＬＡＮ１４に接続してデータの送受信を行うＬＡＮインターフェース３１と、光回線１０に対して光信号を送受信する光送受信部３２と、これらＬＡＮインターフェース３１および光送受信部３２の動作を制御するマイクロコンピュータ３３とで構成される。
【００２４】
光送受信部２２および３２は各々、電気信号を光信号に変換するインターフェースであるＥ／Ｏ（Electric/Optical）と光信号を電気信号に変換するインターフェースであるＯ／Ｅとを含む。センタ装置１１側の光送受信部２２はＥ／Ｏ２２ａとＯ／Ｅ２２ｂとを含む。リモート装置１２側の光送受信部３２はＥ／Ｏ３２ａとＯ／Ｅ３２ｂとを含む。図では、電気信号を細い実線の矢印、光信号を太い実線の矢印で表現している。
【００２５】
以後、センタ装置１１から見たリモート装置１２、またはリモート装置１２から見たセンタ装置１１のことを対向装置という。また、光回線１０の中でセンタ装置１１からリモート装置１２に通じる回線を下り回線１０ａ、リモート装置１２からセンタ装置１１に通じる回線を上り回線１０ｂという。下り回線１０ａは、センタ装置１１のＥ／Ｏ２２ａとリモート装置１２のＯ／Ｅ３２ｂとを結び、上り回線１０ｂはリモート装置１２のＥ／Ｏ３２ａとセンタ装置１１のＯ／Ｅ２２ｂとを結ぶ。
【００２６】
本実施形態では下り回線１０ａおよび上り回線１０ｂを同一の光ケーブル内に含まれる別系統の光ファイバ回線としたが、これにＷＤＭ（Wavelength Division Multiplex、波長分割多重）技術を適用し、合波器および分波器を利用して下り回線１０ａと上り回線１０ｂとを１本の光ファイバにまとめてもよい。
【００２７】
図２は、図１で示したセンタ装置１１のより詳しい構成を示す説明図である。ＬＡＮインターフェース２１は、一方のＬＡＮ１３からの電気信号を受信する受信部１０１と、一方のＬＡＮ１３に向けて電気信号を送信する送信部１０２とを備える。光送受信部２２は、前述のＥ／Ｏ２２ａとＯ／Ｅ２２ｂとを備える。Ｏ／Ｅ２２ｂからの信号は、送信部１０２とマイクロコンピュータ２３の双方に出力される。
【００２８】
マイクロコンピュータ２３は、コンピュータプログラムを実行するプロセッサ１２１と、プログラムおよびデータを記憶する記憶手段１２２と、操作者に対して処理結果を表示し、また操作者からの入力指示を受けるユーザインターフェース（図中ではユーザＩ／Ｆという）１２３とを備える。
【００２９】
プロセッサ１２１では、後述のＯＡＭ（Operations, Administration, Maintenance）フレーム受信部１５１、電力制御部１５２、ＯＡＭフレーム生成部１５３、無通信監視部１５４が各々コンピュータプログラムとして動作する。また、記憶手段１２２では、Ｅ／Ｏ２２ａ（３２ａ）を介して光回線１０に送信される通信フレームを一時的に記憶するフレーム格納部１５５と、後述の装置設定１５６とが、記憶領域として確保されている。
【００３０】
図３は、図１で示したリモート装置１２のより詳しい構成を示す説明図である。ＬＡＮインターフェース３１は、他方のＬＡＮ１４からの信号を受信する受信部１０１と、他方のＬＡＮ１４に向けて信号を送信する送信部１０２とを備える。光送受信部３２は、前述のＥ／Ｏ３２ａとＯ／Ｅ３２ｂとを備える。Ｏ／Ｅ３２ｂからの信号は、送信部１０２とマイクロコンピュータ３３の双方に出力される。
【００３１】
マイクロコンピュータ３３は、コンピュータプログラムを実行するプロセッサ１２１と、プログラムおよびデータを記憶する記憶手段１２２と、処理結果を操作者に対して表示し、また操作者からの入力指示を受けるユーザインターフェース（図中ではユーザＩ／Ｆという）１２３とを備える。
【００３２】
プロセッサ１２１では、後述のＯＡＭフレーム受信部１５１、電力制御部１５２、ＯＡＭフレーム生成部１５３、無通信監視部１５４が各々コンピュータプログラムとして動作する。また、記憶手段１２２では、Ｅ／Ｏ２２ａ（３２ａ）を介して光回線１０に送信される通信フレームを一時的に記憶するフレーム格納部１５５と、後述の装置設定１５６とが記憶領域として確保されている。
【００３３】
図２〜３で示したように、センタ装置１１とリモート装置１２とは同一の内部構成を有する。そのため、以後はセンタ装置１１側のマイクロコンピュータ２３内部の構成について主に説明するが、リモート装置１２側のマイクロコンピュータ３３についても同一の名称および参照番号の要素は、同一の動作を行うことが可能である。
【００３４】
ＯＡＭフレーム受信部１５１は、Ｏ／Ｅ２２ｂ（３２ｂ）から出力された電気信号内にＯＡＭフレームが含まれている場合にこれを受信する。電力制御部１５２は、光送受信部２２（３２）への電力供給を制御して、省電力モードと通常モードとの間を移行させる。ＯＡＭフレーム生成部１５３は、Ｅ／Ｏ２２ａ（３２ａ）を介して対向装置に送信されるＯＡＭフレームを生成して、フレーム格納部１５５に一時的に記憶させる。
【００３５】
このＯＡＭフレームの他にも、フレーム格納部１５５には、一方のＬＡＮ１３（他方のＬＡＮ１４）から受信部１０１が受信したＯＡＭフレームではないユーザデータも記憶される。ここに記憶されたＯＡＭフレームおよびユーザデータは、Ｅ／Ｏ２２ａ（３２ａ）を介して対向装置に送られる。
【００３６】
無通信監視部１５４は、光送受信部２２（３２）で光信号の送受信が行われていないと無通信監視タイマを動作させて、所定の時間の経過が観測された時点で電力制御部１５２に対して光送受信部２２（３２）の動作モードを省電力モードに移行させるように指令する。
【００３７】
ここでいうＯＡＭフレームは、センタ装置１１とリモート装置１２の双方が理解可能であればどのようなデータ形式であっても利用可能ではあるが、本実施形態ではその一例としてＩＴＵ−Ｔ勧告Ｙ．１７３１として標準化された「イーサネットＯＡＭ（Ethernet OAM）」（イーサネットは登録商標です）で、イーサネット網の管理および保守のために使用されるフレームを使用する。このイーサネットＯＡＭでベンダー拡張フレームとして定義されたフィールドを利用して、センタ装置１１とリモート装置１２の双方が理解可能で、かつ後述の動作が可能なＯＡＭフレームを実現している。そのＯＡＭフレームの種類およびデータ内容については後述する。
【００３８】
また、センタ装置１１およびリモート装置１２は、省電力モードおよび通常モードという２通りの動作モードで動作可能であり、これらの動作モードの間で消費電力が異なる。通常モードでは、該装置を構成する全ての要素に対して電力が供給され、該装置の全ての機能が制限されずに動作する。
【００３９】
省電力モードでは、該装置の中でＥ／Ｏ２２ａ（３２ａ）、ＯＡＭフレーム生成部１５３、およびフレーム格納部１５５の動作が完全に停止し、対向装置に送信される光出力がゼロになる。Ｏ／Ｅ２２ｂ（３２ｂ）は対向装置からの光信号を受信可能な状態を保つ程度に通電し、ＬＡＮインターフェース２１（３１）およびマイクロコンピュータ２３（３３）は、一方のＬＡＮ１３（他方のＬＡＮ１４）からの電気信号および対向装置からの光信号を受信して以後に説明する処理を行うことが可能な状態を保つ程度に通電する。
【００４０】
センタ装置１１およびリモート装置１２の消費電力のうち、Ｅ／Ｏ２２ａ（３２ａ）で消費される電力が多くを占める。従って、センタ装置１１およびリモート装置１２の双方でＥ／Ｏ２２ａ（３２ａ）の動作を停止できれば、データ中継システム１の消費電力を大幅に削減することができる。
【００４１】
装置設定１５６は、センタ装置１１もしくはリモート装置１２が省電力モードで動作することが許可されているか否かの情報を記憶している。省電力モードで動作することが許可されていない場合は、電力制御部１５２は対向装置から省電力モードへの移行を要求されてもこれを拒否し、このモードへの移行を行わない。
【００４２】
（ＯＡＭフレーム）
図４は、図２〜３に示したセンタ装置１１およびリモート装置１２が、対向装置に対して送信するＯＡＭフレームの種類を示す表である。本実施形態では、次に示す各々のＯＡＭフレームを使用する。「省電力要求ＯＡＭフレーム」は、通常モードから省電力モードへの移行を対向装置に要求するＯＡＭフレームである。「復帰要求ＯＡＭフレーム」は、省電力モードから通常モードへの復帰を対向装置に要求するＯＡＭフレームである。以上は、対向装置に動作モードの移行を要求するものであるので、総称して「要求フレーム」という。
【００４３】
「省電力許可応答ＯＡＭフレーム」は、対向装置からの省電力要求ＯＡＭフレームに対して、通常モードから省電力モードへの移行を許可する旨の応答を返信するＯＡＭフレームである。「省電力拒否応答ＯＡＭフレーム」は、対向装置からの省電力要求ＯＡＭフレームに対して、通常モードから省電力モードへの移行を拒否する旨の応答を返信するＯＡＭフレームである。以上は、対向装置から受信した要求フレームに対する応答であるので、総称して「応答フレーム」という。
【００４４】
「復帰完了通知ＯＡＭフレーム」は、対向装置からの復帰要求ＯＡＭフレームに対して、省電力モードから通常モードへの復帰を完了した旨の通知を返信するＯＡＭフレームである。以上は、対向装置から受信した要求フレームに基づく処理が完了したことを通知するものであるので、「通知フレーム」という。
【００４５】
（通常モードから省電力モードへの移行）
図５は、図２〜３に示したセンタ装置１１およびリモート装置１２が、通常モードから省電力モードへ移行する動作を表すフローチャートである。まず、センタ装置１１がリモート装置１２に対してユーザデータを送信し終わると、無通信監視部１５４が無通信監視タイマをリセットして動作を開始させる（ステップＳ２０１）。無通信監視タイマが所定の時間をカウントし終わるまでにユーザデータの送信があると、そのたびごとにステップＳ２０１に戻って無通信監視タイマはリセットされる（ステップＳ２０２）。
【００４６】
無通信監視タイマが所定の時間をカウントしてもユーザデータの送信がなければ（ステップＳ２０３）、ＯＡＭフレーム生成部１５３が省電力要求ＯＡＭフレームを生成して、これをフレーム格納部１５５に一時的に記憶した後、Ｅ／Ｏ３２ａがこの省電力要求ＯＡＭフレームをリモート装置１２に送信する（ステップＳ２０４〜２０５）。
【００４７】
リモート装置１２では、Ｏ／Ｅ２２ｂが省電力要求ＯＡＭフレームを受けるとＯＡＭフレーム受信部１５１にこれを渡し（ステップＳ２１１）、これに反応したＯＡＭフレーム生成部１５３は装置設定１５６を参照して、リモート装置１２の省電力モードへの移行が許可されているか否かを判断する（ステップＳ２１２）。
【００４８】
リモート装置１２が省電力モードに移行可能であれば、ＯＡＭフレーム生成部１５３は省電力許可応答ＯＡＭフレームを生成して（ステップＳ２１３）これをフレーム格納部１５５に一時的に記憶させた後に、Ｅ／Ｏ２２ａがこの省電力許可応答ＯＡＭフレームをセンタ装置１１に返信する（ステップＳ２１４）。そして電力制御部１５２は、リモート装置１２の動作を省電力モードに移行させて（ステップＳ２１５）、同時にユーザインターフェース１２３に省電力モードに移行した旨を表示して、処理を終了する。
【００４９】
ステップＳ２１２でリモート装置１２が省電力モードに移行不可能であれば、ＯＡＭフレーム生成部１５３は省電力拒否応答ＯＡＭフレームを生成して（ステップＳ２１６）これをフレーム格納部１５５に一時的に記憶させた後に、Ｅ／Ｏ２２ａ（３２ａ）がこの省電力拒否応答ＯＡＭフレームをセンタ装置１１に返信する（ステップＳ２１７）。
【００５０】
ステップＳ２１４または２１６で送信された応答ＯＡＭフレームを受けたセンタ装置１１では、Ｏ／Ｅ２２ｂ（３２ｂ）がＯＡＭフレーム受信部１５１にこれを渡し（ステップＳ２０６）、Ｏ／Ｅ２２ｂ（３２ｂ）は受信したＯＡＭフレームが省電力許可応答ＯＡＭフレームであるか否かを判断する（ステップＳ２０７）。省電力許可応答ＯＡＭフレームであれば、電力制御部１５２がセンタ装置１１の動作を省電力モードに移行させて（ステップＳ２０８）、同時にユーザインターフェース１２３に省電力モードに移行した旨を表示して、処理を終了する。省電力拒否応答ＯＡＭフレームであれば、ステップＳ２０７からそのまま処理を終了する。
【００５１】
図５ではセンタ装置１１を契機とした省電力モードへの移行について説明したが、リモート装置１２を契機としてセンタ装置１１を省電力モードに移行させる動作もこれと同一の動作で可能である。この場合の動作は、上記説明文の「センタ装置１１」と「リモート装置１２」を全て入れ替えるだけでよい。
【００５２】
（省電力モードから通常モードへの復帰）
図６は、図５の動作を通じて双方とも省電力モードに移行したセンタ装置１１およびリモート装置１２が、通常モードに復帰する動作を表すフローチャートである。省電力モードであるセンタ装置１１の受信部１０１が、一方のＬＡＮ１３からのユーザデータを受信すると（ステップＳ３０１）このユーザデータをフレーム格納部１５５に一時的に記憶させた後、これに反応した電力制御部１５２がセンタ装置１１の動作を通常モードに復帰させ（ステップＳ３０２）、同時にユーザインターフェース１２３に通常モードに復帰した旨を表示する。
【００５３】
そしてＯＡＭフレーム生成部１５３が復帰要求ＯＡＭフレームを生成して、これをフレーム格納部１５５に一時的に記憶した後（ステップＳ３０３）、Ｅ／Ｏ２２ａ（３２ａ）がこの復帰要求ＯＡＭフレームをリモート装置１２に送信する（ステップＳ３０４）。
【００５４】
リモート装置１２では、Ｏ／Ｅ２２ｂ（３２ｂ）が復帰要求ＯＡＭフレームを受けるとＯＡＭフレーム受信部１５１にこれを渡し（ステップＳ３１１）、これに反応した電力制御部１５２が、リモート装置１２の動作を通常モードに復帰させ（ステップＳ３１２）、同時にユーザインターフェース１２３に通常モードに復帰した旨を表示する。そしてＯＡＭフレーム生成部１５３が復帰完了通知ＯＡＭフレームを生成して（ステップＳ３１３）これをフレーム格納部１５５に一時的に記憶した後（ステップＳ３１４）、Ｅ／Ｏ２２ａ（３２ａ）がこの復帰完了通知ＯＡＭフレームをセンタ装置１１に返信する（ステップＳ３１５）。
【００５５】
復帰完了通知ＯＡＭフレームを受けたセンタ装置１１では、Ｏ／Ｅ２２ｂ（３２ｂ）がＯＡＭフレーム受信部１５１にこれを渡し（ステップＳ３０５）、これに反応したＥ／Ｏ２２ａ（３２ａ）は、フレーム格納部１５５に一時的に記憶されたユーザデータをリモート装置１２に送信する（ステップＳ３０６）。
【００５６】
図６ではセンタ装置１１を契機とした通常モードへの復帰について説明したが、リモート装置１２を契機としてセンタ装置１１を通常モードに復帰させる動作もこれと同一の動作で可能である。この場合の動作は、上記説明文の「センタ装置１１」と「リモート装置１２」を全て入れ替えるだけでよい。また、センタ装置１１とリモート装置１２のいずれを契機として双方の機器が省電力モードになった場合にも、通常モードに復帰させる動作はセンタ装置１１とリモート装置１２のいずれを契機としても可能である。
【００５７】
（第１の実施形態の全体的な動作）
次に、上記の実施形態の全体的な動作について説明する。本実施形態に係る光通信装置の省電力制御方法は、一方のＬＡＮ（Local Area Network）からユーザデータを受信するセンタ装置と、光回線を経由して受信したユーザデータを他方のＬＡＮに送信するリモート装置とを備えるデータ中継用光通信システムにあって、一方のＬＡＮとのユーザデータの送受信が予め決められた所定の時間行われていない場合にこの無通信状態をセンタ装置の無通信監視部１５４で検出し（図５：ステップＳ２０１〜２０３）、無通信状態が検出された場合にリモート装置を通常モードより消費電力の少ない省電力モードでの動作に移行させる省電力要求フレームをセンタ装置のフレーム生成部（ＯＡＭフレーム生成部１５３）で生成し（図５：ステップＳ２０４）、この省電力要求フレームを問い合わせ信号としてセンタ装置の光送受信部２２で送信し（図５：ステップＳ２０５）、リモート装置から省電力要求フレームに応答する省電力許可応答フレームを受信したことをセンタ装置のフレーム受信部（ＯＡＭフレーム受信部１５１）が確認し（図５：ステップＳ２０６）、省電力許可応答フレームを確認した後にセンタ装置を省電力モードでの動作にセンタ装置の電力制御部１５２で移行させ（図５：ステップＳ２０７〜２０８）、光回線への光出力の送信をセンタ装置の光送受信部２２で停止する。
【００５８】
そして、省電力要求フレームを受信したことに反応して省電力許可応答フレームをリモート装置のフレーム生成部で生成し（図５：ステップＳ２１３）、この省電力許可応答フレームをリモート装置の光送受信部が送信し（図５：ステップＳ２１４）、省電力許可応答フレームを送信した後にリモート装置を省電力モードでの動作にリモート装置の電力制御部で移行させ（図５：ステップＳ２１５）、光回線への光出力の送信をリモート装置の光送受信部で停止する。
【００５９】
ここで、上記各動作ステップについては、これをコンピュータで実行可能にプログラム化し、これらを前記各ステップを直接実行するコンピュータであるセンタ装置１１のマイクロコンピュータ２３およびリモート装置１２のマイクロコンピュータ３３に実行させるようにしてもよい。
この構成および動作により、本実施形態は以下のような効果を奏する。
【００６０】
本実施形態では、光通信装置の省電力モードの動作として、Ｅ／Ｏ２２ａ（３２ａ）の動作を停止することができる。従って、従来の光リンクを維持しつつ光出力を弱める従来の光通信装置よりも、さらに消費電力を節減することができる。また、装置単体ではなく、自装置と対向装置の双方で連動して省電力モードに移行することが可能であるので、光通信システム全体としてより有用な消費電力の節減が可能となる。
【００６１】
（第２の実施形態）
本発明の第２の実施形態に係る光通信装置（センタ装置４１１およびリモート装置４１２）は、ユーザからの命令入力を受け付けるユーザインターフェース１２３を備え、フレーム生成部（ＯＡＭフレーム生成部４５３）は、ユーザインターフェースに強制省電力移行命令が入力されたことに反応して対向装置を省電力モードでの動作に強制的に移行させる強制省電力要求（ＯＡＭ）フレームを生成してこれを光送受信部に送信させる機能を有し、電力制御部４５２は、光送受信部が強制省電力要求（ＯＡＭ）フレームを送信した後で自装置を省電力モードでの動作に強制的に移行させる。
【００６２】
またこのフレーム生成部（ＯＡＭフレーム生成部４５３）は、自装置が省電力モードで動作している間にユーザインターフェースに強制省電力移行命令が入力されたことに反応して対向装置を通常モードでの動作に強制的に復帰させる強制復帰要求（ＯＡＭ）フレームを生成してこれを光送受信部に送信させる機能を有し、電力制御部４５２は、光送受信部が強制復帰要求（ＯＡＭ）フレームを送信した後で自装置を通常モードでの動作に強制的に復帰させる。
【００６３】
これによって、第１の実施形態と全く同一の動作が可能であることに加えて、ネットワーク管理者の操作によって強制的に自装置と対向装置の両方で光出力を停止することも可能となる。
以下、これをより詳しく説明する。
【００６４】
図７は、本発明の第２の実施形態に係るデータ中継システム４０１の構成を示す説明図である。データ中継システム４０１は、第１のＬＡＮ（Local Area Network）１３に接続されたセンタ装置４１１と、他方のＬＡＮ１４に接続されたリモート装置４１２との間が光回線１０で結ばれることによって、一方のＬＡＮ１３と他方のＬＡＮ１４との間で相互にデータの交換を行うことが可能となっているという構成である。この点は、第１の実施形態に係るデータ中継システム１と同一である。
【００６５】
センタ装置４１１は、一方のＬＡＮ１３に接続してデータの送受信を行うＬＡＮインターフェース２１と、光回線１０に対して光信号を送受信する光送受信部２２と、これらＬＡＮインターフェース２１および光送受信部２２の動作を制御するマイクロコンピュータ４２３とで構成される。リモート装置４１２も同様に、他方のＬＡＮ１４に接続してデータの送受信を行うＬＡＮインターフェース３１と、光回線１０に対して光信号を送受信する光送受信部３２と、これらＬＡＮインターフェース３１および光送受信部３２の動作を制御するマイクロコンピュータ４３３とで構成される。
【００６６】
図８は、図７で示したセンタ装置４１１のより詳しい構成を示す説明図である。図９は、図７で示したリモート装置４１２のより詳しい構成を示す説明図である。これら各装置で、動作を制御するマイクロコンピュータ４２３（４３３）以外の構成は全て、第１の実施形態に係るセンタ装置１１およびリモート装置１２の構成と同一である。また、マイクロコンピュータ４２３の構成も、プロセッサ１２１内部で動作するコンピュータプログラム（機能部）の動作が異なるのみである。
【００６７】
センタ装置４１１およびリモート装置４１２のマイクロコンピュータ４２３（４３３）で動作するコンピュータプログラム（機能部）では、電力制御部４５２およびＯＡＭフレーム生成部４５３の動作のみが、第１の実施例における電力制御部１５２およびＯＡＭフレーム生成部１５３の動作と異なるので、それ以外の要素については全て同一の名称および参照番号でいう。
【００６８】
電力制御部４５２、ＯＡＭフレーム生成部４５３とその他の機能部は、図５で示した一定時間以上の無通信状態を検出して省電力モードに移行する動作、および図６で示したユーザデータを検出して通常モードに復帰する動作のいずれも、これらの図５〜６で説明した通りに可能である。これに加えてこれらの各機能部は、ネットワーク管理者がユーザインターフェース１２３を介して行う操作によって、センタ装置４１１およびリモート装置４１２を強制的に省電力モードに移行する動作と通常モードに復帰する動作とが可能である。
【００６９】
図１０は、図８〜９に示したセンタ装置４１１およびリモート装置４１２が、対向装置に対して送信するＯＡＭフレームの種類を示す表である。図４で説明した各種のＯＡＭフレームに加えて、本実施形態では２種類の要求フレームが追加されている。「強制省電力要求ＯＡＭフレーム」は、ネットワーク管理者の操作によって通常モードから省電力モードへの移行を対向装置に要求するＯＡＭフレームである。「強制復帰要求ＯＡＭフレーム」は、ネットワーク管理者の操作によって省電力モードから通常モードへの復帰を対向装置に要求するＯＡＭフレームである。
【００７０】
（通常モードから省電力モードへの強制移行）
図１１は、図８〜９に示したセンタ装置４１１およびリモート装置４１２が、ネットワーク管理者の操作によって通常モードから省電力モードへ移行する動作を表すフローチャートである。まず、センタ装置４１１でネットワーク管理者がユーザインターフェース１２３を介して省電力モードへ移行する命令を入力すると（ステップＳ５０１）、ＯＡＭフレーム生成部４５３が強制省電力要求ＯＡＭフレームを生成して、これをフレーム格納部１５５に一時的に記憶した後、Ｅ／Ｏ３２ａがこの強制省電力要求ＯＡＭフレームをリモート装置４１２に送信して（ステップＳ５０２〜５０３）、この送信直後に電力制御部４５２がセンタ装置４１１の動作を省電力モードに移行させる（ステップＳ５０４）。
【００７１】
リモート装置４１２では、Ｏ／Ｅ２２ｂが強制省電力要求ＯＡＭフレームを受けるとＯＡＭフレーム受信部１５１にこれを渡し（ステップＳ５１１）、これに反応した電力制御部４５２がただちにリモート装置４１２の動作を省電力モードに移行させる（ステップＳ５１２）。
【００７２】
図５で示した動作と異なり、この動作はネットワーク管理者の操作によって強制的に行われるものであるので、装置設定１５６に設定された省電力モードへの移行許可の有無には関係なく行われる。また、この動作によって強制的に省電力モードに移行したセンタ装置４１１およびリモート装置４１２は、双方のＬＡＮ１３および１４からユーザデータを受信しても通常モードには復帰しない。ただ、後述の図１２に示すネットワーク管理者の操作によってのみ通常モードへの復帰が可能である。
【００７３】
（省電力モードから通常モードへの強制復帰）
図１２は、図１１の動作を通じて双方とも省電力モードに移行したセンタ装置４１１およびリモート装置４１２が、ネットワーク管理者の操作によって省電力モードから通常モードへ復帰する動作を表すフローチャートである。まず、センタ装置４１１でネットワーク管理者がユーザインターフェース１２３を介して通常モードへ移行する命令を入力すると（ステップＳ６０１）、電力制御部４５２がセンタ装置４１１の動作を通常モードに復帰させ（ステップＳ６０２）、ＯＡＭフレーム生成部４５３が強制復帰要求ＯＡＭフレームを生成して、これをフレーム格納部１５５に一時的に記憶した後（ステップＳ６０３）、その直後にＥ／Ｏ３２ａがこの強制省電力要求ＯＡＭフレームをリモート装置４１２に送信する（ステップＳ６０４）。
【００７４】
リモート装置４１２では、Ｏ／Ｅ２２ｂが強制復帰要求ＯＡＭフレームを受けるとＯＡＭフレーム受信部１５１にこれを渡し（ステップＳ６１１）、これに反応した電力制御部４５２がただちにリモート装置４１２の動作を通常モードに復帰させる（ステップＳ６１２）。図６で示した動作と異なり、通常モードへの復帰を待ってからユーザデータを送信するという動作は行わなくてもよいので、復帰完了通知ＯＡＭフレームを返信する工程は無い。
【００７５】
図１１および図１２ではセンタ装置４１１を契機とした省電力モードへの移行および通常モードへの復帰について説明したが、リモート装置４１２を契機としてセンタ装置４１１を省電力モードに移行および通常モードに復帰させる動作もこれと同一の動作で可能である。この場合の動作は、上記説明文の「センタ装置４１１」と「リモート装置４１２」を全て入れ替えるだけでよい。
【００７６】
また、センタ装置４１１とリモート装置４１２のいずれを契機として双方の機器が省電力モードになった場合にも、通常モードに復帰させる動作はセンタ装置４１１とリモート装置４１２のいずれを契機としても可能である。ただし、前述のように、ネットワーク管理者の操作によって双方の機器が強制的に省電力モードになった場合には、ユーザデータを受信しても通常モードには復帰しない。図１２に示したネットワーク管理者の操作によってのみ通常モードへの復帰が可能である。
【００７７】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【産業上の利用可能性】
【００７８】
本発明は光通信装置に適用することができる。
【符号の説明】
【００７９】
１、４０１  データ中継システム
１０  光回線
１０ａ  下り回線
１０ｂ  上り回線
１１、４１１  センタ装置
１２、４１２  リモート装置
１３  第１のＬＡＮ
１４  第２のＬＡＮ
２１、３１  ＬＡＮインターフェース
２２、３２  光送受信部
２２ａ、３２ａ  Ｅ／Ｏ
２２ｂ、３２ｂ  Ｏ／Ｅ
２３、３３、４２３、４３３  マイクロコンピュータ
１０１  受信部
１０２  送信部
１２１  プロセッサ
１２２  記憶手段
１２３  ユーザインターフェース
１５１  ＯＡＭフレーム受信部
１５２、４５２  電力制御部
１５３、４５３  ＯＡＭフレーム生成部
１５４  無通信監視部
１５５  フレーム格納部
１５６  装置設定
【図１】
2011114651.tif 000003
【図２】
2011114651.tif 000004
【図３】
2011114651.tif 000005
【図４】
2011114651.tif 000006
【図５】
2011114651.tif 000007
【図６】
2011114651.tif 000008
【図７】
2011114651.tif 000009
【図８】
2011114651.tif 000010
【図９】
2011114651.tif 000011
【図１０】
2011114651.tif 000012
【図１１】
2011114651.tif 000013
【図１２】
2011114651.tif 000014